(57)【要約】      （修正有）【課題】陳列什器のネットから外れにくい構造の、商品陳列用のフックを提供する。【解決手段】ネット状の陳列什器に係止する商品陳列用のフック１１であって、フック１１は、板状の基部１２と、基部１２の正面に設けられる所定長さのアーム部１３とから構成され、基部１２の上部は、Ｕ字状に折り曲げられ且つ中央位置に隙間部１５を有する係止片１４が、弾性を有して設けられ、基部１２の背面には、隙間部１５と連通する縦溝部が形成され、係止片１４の端部と基部１２の背面とには、それぞれ対向する位置に凸部と凸部とが設けられている。【選択図】図１
0003133020.tif 000002
【実用新案登録請求の範囲】
【請求項１】
ネット状の陳列什器に係止する商品陳列用のフックであって、
該フックは、板状の基部と、該基部の正面に設けられる所定長さのアーム部とから構成され、
前記基部の上部は、Ｕ字状に折り曲げられ且つ中央位置に隙間部を有する係止片が、弾性を有して設けられ、
前記基部の背面には、前記隙間部と連通する縦溝部が形成され、
前記係止片の端部と前記基部の背面とには、それぞれ対向する位置に凸部が設けられていること
を特徴とするフック。
【請求項２】
前記係止片に設けられる凸部は、前記隙間部に隣接する両端部に位置し、
前記基部に設けられる凸部は、前記縦溝部に隣接する両端部に位置すること
を特徴とする請求項１に記載のフック。
【請求項３】
前記凸部は、所定高さの頂部と、該頂部の周囲に位置するテーパー部とからなること
を特徴とする請求項１又は２に記載のフック。
【考案の詳細な説明】
【技術分野】
【０００１】
本考案は、商品陳列用のフックに関するものであり、更に詳しくは、ネット状の陳列什器に係止して、商品を吊り下げて陳列する商品陳列用のフックに関するものである。
【背景技術】
【０００２】
従来、この種の商品陳列用のフックとしては、次のような構成のものが知られている。この商品陳列用のフックは、基体部と、この基体部の中央位置に突出して設けられる商品フックとから構成されており、基体部の上端にはＵ字状の係止片が形成されている。また、基体部の上部はカード支持体を差込自在に設けることができるようになっている（特許文献１参照）。
【０００３】
このような構成の商品陳列用のフックは、係止片を陳列什器のネットに係止して、商品フックに商品を吊り下げて陳列する。また、商品名等が記載された表示体をカード支持体の先端部に設けて、このカード支持体を必要に応じて基体部の上部に取り付けることができるようになっている。
【特許文献１】特開２０００−６０６９８号公報
【考案の開示】
【考案が解決しようとする課題】
【０００４】
この従来例の商品陳列用のフックにおいては、商品フックから商品を取り外すときなどに、係止片がネットから外れて、フックが下に脱落することがあるという欠点を有している。
【０００５】
従って、従来例における商品陳列用のフックにおいては、係止片がネットから外れにくい構造にすることによって、フックの脱落を防止することに解決しなければならない課題を有している。
【課題を解決するための手段】
【０００６】
前記従来例の課題を解決する具体的手段として本考案は、ネット状の陳列什器に係止する商品陳列用のフックであって、該フックは、板状の基部と、該基部の正面に設けられる所定長さのアーム部とから構成され、前記基部の上部は、Ｕ字状に折り曲げられ且つ中央位置に隙間部を有する係止片が、弾性を有して設けられ、前記基部の背面には、前記隙間部と連通する縦溝部が形成され、前記係止片の端部と前記基部の背面とには、それぞれ対向する位置に凸部が設けられていることを特徴とするフックを提供するものである。
【０００７】
また、前記係止片に設けられる凸部は、前記隙間部に隣接する両端部に位置し、前記基部に設けられる凸部は、前記縦溝部に隣接する両端部に位置する構成としたものであり、そして、前記凸部は、所定高さの頂部と、該頂部の周囲に位置するテーパー部とからなる構成としたものである。
【考案の効果】
【０００８】
本考案に係るフックは、ネット状の陳列什器に係止する商品陳列用のフックであって、該フックは、板状の基部と、該基部の正面に設けられる所定長さのアーム部とから構成され、前記基部の上部は、Ｕ字状に折り曲げられ且つ中央位置に隙間部を有する係止片が、弾性を有して設けられ、前記基部の背面には、前記隙間部と連通する縦溝部が形成され、前記係止片の端部と前記基部の背面とには、それぞれ対向する位置に凸部が設けられていることによって、係止片を陳列什器の横線材に係止させたときに、対向状態に位置する凸部同士が、横線材に対してストッパー的な役割を果たすこととなり、係止片が横線材から外れにくくなる。従って、フックが意に反して下に脱落することがないという優れた効果を奏する。
【０００９】
また、前記係止片に設けられる凸部は、前記隙間部に隣接する両端部に位置し、前記基部に設けられる凸部は、前記縦溝部に隣接する両端部に位置することによって、対向状態に位置する凸部同士が２箇所に存在するので、凸部の横線材に対するストッパー的な役割が一層発揮されるという優れた効果を奏する。
【００１０】
そして、前記凸部は、所定高さの頂部と、該頂部の周囲に位置するテーパー部とからなることによって、係止片を横線材に係止させるときは、横線材がテーパー部を移動して両方の凸部を押し広げて、頂部を乗り越えることとなる。その後は両方の凸部が近接して位置し、ストッパー的な役割を果たすので、係止片が横線材から外れにくくなるという優れた効果を奏する。
【考案を実施するための最良の形態】
【００１１】
次に、本発明の実施の形態について図面を参照しながら説明する。まず、図１及び図２において、符号１１は商品陳列用のフックを示し、このフック１１は、板状の基部１２と、この基部１２の正面に設けられる所定長さのアーム部１３とから構成される。
【００１２】
フック１１は、例えばプラスチック等の合成樹脂材又は金属材等の適宜な材料で一体に形成される。
【００１３】
基部１２は、長方形の板状に形成されており、この基部１２の上部がＵ字状に折り曲げられて係止片１４が設けられている。また、係止片１４は、適宜の弾性を有して形成されている。
【００１４】
係止片１４の中央位置には、図２及び図３に示すように、所定幅の隙間部１５が設けられている。この隙間部１５は、後述する陳列什器２０の縦線材２１を挿通させるための隙間である。
【００１５】
基部１２の背面には、図２及び図３に示すように、隙間部１５と連通する縦溝部１６が長さ方向に沿って形成されている。この縦溝部１６は、後述する陳列什器２０の縦線材２１を収めるための隙間である。
【００１６】
係止片１４の端部と基部１２の背面とには、図４に示すように、それぞれ対向する位置に凸部１７ａと凸部１７ｂとが形成されている。そして、係止片１４に設けられる凸部１７ａは、図３に示すように、隙間部１５に隣接する両端部に位置している。また、基部１２に設けられる凸部１７ｂは、縦溝部１６に隣接する両端部に位置している。つまり、対向状態に近接する凸部１７ａ、凸部１７ｂ同士が、隙間部１５及び縦溝部１６を介して２箇所に存在するのである。
【００１７】
凸部１７ａ及び凸部１７ｂは、図４に示すように、それぞれ所定高さの頂部１８と、この頂部１８の周囲に位置するテーパー部１９とからなり、いわゆる山形状に形成されている。
【００１８】
アーム部１３は、所定長さに形成されており、その先端部１３ａがやや上方に折曲している。また、アーム部１３の後端部１３ｂは、支持部１３ｃに連設しており、この支持部１３ｃは、基部１２の正面に長さ方向に沿って一体に接続している。
【００１９】
次に、以上のような構成の商品陳列用のフック１１の使用方法と作用について説明する。まず、このフック１１は、図６に示すようなネット状の陳列什器２０に係止して、アーム部１３に商品を吊り下げて陳列する。陳列什器２０は、図示しない所定の枠体に縦線材２１と横線材２２とを格子状に配設して形成される。
【００２０】
フック１１の、対向した状態に近接する凸部１７ａと凸部１７ｂとの間隔Ｌは（図４参照）、横線材２２の太さよりも幅狭に形成されている。
【００２１】
係止片１４を横線材２２に係止させるときは（図５(イ)参照）、横線材２２が凸部１７ａと凸部１７ｂとの両方のテーパー部１９、１９を移動して、さらに両方の凸部１７ａと凸部１７ｂとを押し広げて、頂部１８、１８を乗り越えることとなる（図４及び図５(ロ)参照）。この場合、係止片１４が弾性を有するので、両方の凸部１７ａと凸部１７ｂとの押し広げが可能である（図５(ロ)参照）。
【００２２】
その後は、凸部１７ａと凸部１７ｂとが近接して元の幅狭な状態に戻り（図５(ハ)参照）、横線材２２に対してのストッパー的な役割を果たすこととなるので、係止片１４が横線材２２から外れにくくなる。従って、フック１１が意に反して脱落しない。
【００２３】
この場合、前述のように、対向した状態に近接する凸部１７ａ、凸部１７ｂ同士が、隙間部１５及び縦溝部１６を介して２箇所に存在するので（図３参照）、凸部１７ａと凸部１７ｂとが横線材２２に対してのストッパー的な役割を一層発揮するのである。
【００２４】
また、係止片１４を、縦線材２１と横線材２２との交差位置に係止するときには、図７に示すように、縦線材２１が隙間部１５挿通してから縦溝部１６に収まるので、基部１２がガタつかないようになっている。なお、係止片１４を、縦線材２１と横線材２２との交差しない位置に係止することも勿論可能である（図６参照）。
【図面の簡単な説明】
【００２５】
【図１】本考案に係るフック１１の斜視図である。
【図２】本考案に係るフック１１の、背面側からの斜視図である。
【図３】フック１１の要部を示す背面図である。
【図４】フック１１の要部を示す側面図である。
【図５】（イ）係止片１４を横線材２２に係止させる状態を示す、フック１１の側面図である。（ロ）横線材２２が両方の凸部１７ａと凸部１７ｂとを押し広げる状態を示す、フック１１の側面図である。（ハ）凸部１７ａと凸部１７ｂとが近接して幅狭な状態に戻った状態を示す、フック１１の側面図である。
【図６】フック１１を係止した陳列什器２０の斜視図である。
【図７】縦線材２１と横線材２２との交差位置に係止したフック１１の、背面側からの斜視図である。
【符号の説明】
【００２６】
１１  商品陳列用のフック
１２  基部
１３  アーム部
１３ａ先端部
１３ｂ後端部
１３ｃ支持部
１４  係止片
１５  隙間部
１６  縦溝部
１７ａ凸部
１７ｂ凸部
１８  頂部
１９  テーパー部
２０  陳列什器
２１  縦線材
２２  横線材
【図１】
0003133020.tif 000003
【図２】
0003133020.tif 000004
【図３】
0003133020.tif 000005
【図４】
0003133020.tif 000006
【図５】
0003133020.tif 000007
【図６】
0003133020.tif 000008
【図７】
0003133020.tif 000009